(57)【要約】【課題】  バックライトユニットの冷陰極管に接続されているホット側リード線が導光板の側面に沿って配線されている液晶表示装置において、ホット側リード線の位置ずれによって生ずる漏れ電磁波による液晶パネルの表示不良を防止する。【解決手段】  液晶パネル１と、光源として高周波交流駆動される冷陰極管を有するサイドライト型のバックライトユニット２とを含み、冷陰極管のホット側リード線２２３が導光板２１の側面に沿って配線されているとともに、ユニットケース３の上面開口部の一部分にホット側リード線２２３から放射される電磁波を遮蔽するシールド板４２が被せられている液晶表示装置において、ユニットケース３内にホット側リード線２２３をシールド板４２側寄りの所定高さ位置に支持するリード線支持手段５Ａを設ける。【選択図】  図１
2006126572.tif 000002
【特許請求の範囲】
【請求項１】
液晶パネルと、上面が開放されたユニットケース内に収納された状態で上記液晶パネルの裏面側に配置されるバックライトユニットとを含み、上記バックライトユニットが導光板の光入射面とされる所定の側面に沿って光源を配置してなるサイドライト型で、上記光源として高周波交流駆動される冷陰極管が用いられ、上記冷陰極管の少なくともホット側リード線の一部分が上記ユニットケース内で上記導光板の側面に沿って配線されているとともに、上記ユニットケースの上面開口部の一部分に上記ホット側リード線から放射される電磁波を遮蔽するシールド板が被せられている液晶表示装置において、
上記ユニットケース内には、上記ホット側リード線を上記シールド板側寄りの所定高さ位置に支持するリード線支持手段が設けられていることを特徴とする液晶表示装置。
【請求項２】
上記リード線支持手段が、上記ホット側リード線の支持部を有する紙もしくは合成樹脂を基材とする折り曲げ可能な支持板からなることを特徴とする請求項１に記載の液晶表示装置。
【請求項３】
上記導光板の底面側に配置される光反射シートに、上記光入射面以外の上記導光板の側面に沿って折り曲げられた折曲片が設けられており、上記支持板には上記折曲片に保持される起立片が形成されていることを特徴とする請求項２に記載の液晶表示装置。
【請求項４】
上記起立片は、上記折曲片と上記導光板の側面との間に差し込まれることにより上記折曲片に保持され、上記起立片の少なくとも上記側面と対向する面が光反射面であることを特徴とする請求項３に記載の液晶表示装置。
【請求項５】
上記起立片は、上記折曲片の外面側に接着材により保持されることを特徴とする請求項３に記載の液晶表示装置。
【請求項６】
上記支持板が、上記導光板の底面側に配置される光反射シートと一体に形成されていることを特徴とする請求項２に記載の液晶表示装置。
【発明の詳細な説明】
【技術分野】
【０００１】
本発明は、光源を冷陰極管とするサイドライト型バックライトを有する液晶表示装置に関し、さらに詳しく言えば、冷陰極管を高周波交流駆動する際に、そのホット側リード線から放射される電磁波による表示不良を防止する技術に関するものである。
【背景技術】
【０００２】
透過型もしくは半透過型液晶表示装置においては、図７および図８に示すように、液晶パネル１の裏面側にバックライトユニット２が設けられる。この例では、バックライトユニット２はサイドライト（エッジライト）型であり、基本的な構成として、例えばポリカーボネートからなる導光板２１と、導光板２１の側方から光を照射する光源２２とを備えている。
【０００３】
携帯電話機などの小型機器用途の液晶表示装置の場合、光源２２には発光ダイオードが用いられるが、例えばカーナビゲーションシステムなどの大型機器用途になると、特許文献１に記載されているように、光源２２として発光量が大きな冷陰極管（ＣＣＦＴ；Ｃｏｌｄ  Ｃａｔｈｏｄｅ  Ｆｌｕｏｒｅｓｃｅｎｔ  Ｔｕｂｅ）が用いられる。
【０００４】
冷陰極管には、直管型，Ｌ字管型，Ｕ字管型などがあるが、この例においては、図８に示すように、光源２２にＬ字管型の冷陰極管が用いられ、この冷陰極管を導光板２１の隣接する２辺の側面（光入射面２１ａ，２１ｂ）に沿って配置している（以下、この冷陰極管に光源としての参照符号２２を付す）。
【０００５】
図７に示すように、導光板２１の裏面２１ｅ側には、液晶パネル１に対する光照射効率を向上させるため光反射シート２３が配置されるが、さらに光照射効率を上げるため、光反射シート２３に、上記光入射面２１ａ，２１ｂとは反対側の側面（反光入射面２１ｃ，２１ｄ）を覆うように折曲片２３１，２３２を形成している。
【０００６】
また、導光板２１の液晶パネル１に対する光照射面２１ｆ側には、光拡散シートやプリズムシート（輝度上昇シート）などを含む光学フィルム群２４が積層配置され、これらの各構成要素を含むバックライトユニット２は、上面が開放されたユニットケース３の収納凹部３１内に収納された状態で液晶パネル１の裏面側に配置される。
【０００７】
通常、冷陰極管２２は図示しないインバータ電源により高周波交流駆動されるが、特にＬ字管型の場合、図８に示すように、冷陰極管２２の各電極端子２２１，２２２に接続されているホット側リード線２２３とコールド側（グランド側）リード線２２４とがユニットケース３内において反光入射面２１ｃ，２１ｄに沿って配線される。
【０００８】
図９の断面図に、ユニットケース３内におけるホット側リード線２２３の配線状態を示すが、冷陰極管２２の駆動時、ホット側リード線２２３から高周波電流による電磁波（電磁界）が発生する。また、冷陰極管２２からも電磁波が発生する。これが原因で液晶パネル１の表示がちらつくフリッカ（ビート）現象が発生することがある。
【０００９】
このフリッカ現象はＳＴＮ液晶パネル，ＴＦＴ液晶パネルの別なく発生するが、ＴＦＴ液晶パネルの場合、対向基板側の共通電極がいわゆるベタ電極であるため電磁波の影響を受けやすく、その電磁波によって基準電圧（ＶＣＯＭ電圧）が不安定となり、フリッカ現象が顕著に現れる。
【００１０】
これを防止するため、光照射用の開口部４１の周りに額縁状のシールド板４２を有する例えば金属製のシールドカバー４をユニットケース３に被せて、冷陰極管２２およびホット側リード線２２３から放射される電磁波を遮蔽するようにしている。なお、コールド側リード線２２４は電源のグランド（接地）に接続されるため、コールド側リード線２２４から電磁波は発生しない。
【００１１】
【特許文献１】特開２００３−１９５２９５号公報
【発明の開示】
【発明が解決しようとする課題】
【００１２】
しかしながら、シールドカバー４のシールド板４２の幅には、バックライトユニット２の光照射領域との関係で自ずと制限がある。したがって、ホット側リード線２２３が図９に鎖線で示す位置Ａのようにシールド板４２の近傍に配線されている場合には、ホット側リード線２２３から放射される電磁波がシールド板４２によって遮蔽されるが、振動などによりホット側リード線２２３が図１０に実線で示す位置Ｂのようにシールド板４２から離れた位置に置かれると、ホット側リード線２２３から放射される電磁波がシールド板４２から漏れてしまい、液晶パネル１の表示の一部分が上記フリッカ現象により乱されることになる。
【００１３】
なお、冷陰極管２２については、その各電極端子２２１，２２２に被されている図示しないゴム製のキャップが、導光板２１とユニットケース３の内壁との間にきつくはめ込まれ、それによってシールド板４２の近傍に保持されるため、ホット側リード線のような位置ずれは生じない。
【００１４】
したがって、本発明の課題は、バックライトユニットの冷陰極管に接続されているホット側リード線が導光板の側面に沿って配線されている液晶表示装置において、ホット側リード線の位置ずれによって生ずる漏れ電磁波による液晶パネルの表示不良を防止することにある。
【課題を解決するための手段】
【００１５】
上記課題を解決するため、請求項１に記載の発明は、液晶パネルと、上面が開放されたユニットケース内に収納された状態で上記液晶パネルの裏面側に配置されるバックライトユニットとを含み、上記バックライトユニットが導光板の光入射面とされる所定の側面に沿って光源を配置してなるサイドライト型で、上記光源として高周波交流駆動される冷陰極管が用いられ、上記冷陰極管の少なくともホット側リード線の一部分が上記ユニットケース内で上記導光板の側面に沿って配線されているとともに、上記ユニットケースの上面開口部の一部分に上記ホット側リード線から放射される電磁波を遮蔽するシールド板が被せられている液晶表示装置において、上記ユニットケース内には、上記ホット側リード線を上記シールド板側寄りの所定高さ位置に支持するリード線支持手段が設けられていることを特徴としている。
【００１６】
請求項２に記載の発明は、上記請求項１において、上記リード線支持手段が、上記ホット側リード線の支持部を有する紙もしくは合成樹脂を基材とする折り曲げ可能な支持板からなることを特徴としている。
【００１７】
請求項３に記載の発明は、上記請求項２において、上記導光板の底面側に配置される光反射シートに、上記光入射面以外の上記導光板の側面に沿って折り曲げられた折曲片が設けられており、上記支持板には上記折曲片に保持される起立片が形成されていることを特徴としている。
【００１８】
請求項４に記載の発明は、上記請求項３において、上記起立片は、上記折曲片と上記導光板の側面との間に差し込まれることにより上記折曲片に保持され、上記起立片の少なくとも上記側面と対向する面が光反射面であることを特徴としている。
【００１９】
請求項５に記載の発明は、上記請求項３において、上記起立片は、上記折曲片の外面側に接着材により保持されることを特徴としている。
【００２０】
請求項６に記載の発明は、上記請求項２において、上記支持板が、上記導光板の底面側に配置される光反射シートと一体に形成されていることを特徴としている。
【発明の効果】
【００２１】
請求項１に記載の発明によれば、ホット側リード線がリード線支持手段によりシールド板側寄りの所定高さ位置、すなわちシールド板の遮蔽領域内に支持されるため、ホット側リード線の位置ずれによって生ずる漏れ電磁波による液晶パネルの表示不良を防止することができる。
【００２２】
請求項１のリード線支持手段には接着材や接着テープが含まれるが、リード線支持手段をホット側リード線の支持台を有する紙もしくは合成樹脂を基材とする折り曲げ可能な支持板とした請求項２に記載の発明によれば、温度や湿度などによる経年劣化がなく、信頼性の高い支持が可能であるとともに、組立作業も効率よく行うことができる。
【００２３】
また、導光板の底面側に配置される光反射シートに光入射面以外の導光板の側面に沿って折り曲げられた折曲片が設けられている場合において、支持板にその折曲片に保持される起立片を形成するようにした請求項２に記載の発明によれば、既存のバックライトユニットを設計変更することなく、支持板を後付的に適用することができる。
【００２４】
また、起立片を折曲片と導光板の側面との間に差し込んで保持させる際、その起立片の少なくとも導光板の側面と対向する面を光反射面とした請求項４に記載の発明によれば、液晶パネルに対する光の照射効率を損なうことなく支持板を保持させることができる。
【００２５】
また、起立片を折曲片の外面側に接着材により保持させるようにした請求項４に記載の発明によれば、支持板の取付作業を簡単に行うことができるとともに、請求項４と同じく液晶パネルに対する光の照射効率を損なうこともない。
【００２６】
また、支持板を導光板の底面側に配置される光反射シートと一体に形成するようにした請求項６に記載の発明によれば、製造コストおよび組立作業性がより一層改善されるともに、部品点数が少なくなることから部品管理も容易となる。
【発明を実施するための最良の形態】
【００２７】
次に、図１ないし図６により、本発明の好適な実施形態について説明するが、本発明はこれに限定されるものではない。なお、以下の実施形態の説明において、ホット側リード線２２３を導光板２１の反受光面２１ｃ側で支持するリード線支持手段を除き、他の構成要素については、先の図７および図８で説明した従来例のものと特に変更を要しないため、その説明は省略する。
【００２８】
すなわち、この実施形態においても、図８に示すように、バックライトユニット２の光源にはＬ字型の冷陰極管２２が用いられており、その電極端子２２１，２２２に接続されているホット側リード線２２３とコールド側リード線２２４は、導光板２１の反受光面２１ｃ，２１ｄに沿って引き回されている。
【００２９】
また、図７に示すように、導光板２１の裏面２１ｅ側には、光反射シート２３が配置されているとともに、導光板２１の表面２１ｆ側には、光拡散シートやプリズムシートを含む光学フィルム群２４が載置されている。また、ユニットケース３の上面開口部には、光照射用の開口部４１の周りに額縁状のシールド板４２を有する例えば金属製のシールドカバー４が被せられている。
【００３０】
まず、本発明の第１実施形態について、図１および図２を参照して説明する。図１はホット側リード線２２３の配線部分を示す先の図９と同様な断面図であり、図２は本発明の要部であるホット側リード線２２３のリード線支持手段を示す斜視図である。
【００３１】
光反射シート２３は、紙もしくは合成樹脂を基材とする折り曲げ可能なシートで、この光反射シート２３には、上記従来例と同様に、導光板２１の反光入射面２１ｃ，２１ｄを覆う折曲片２３１，２３２が形成されるのであるが、この実施形態においては、一方の折曲片２３１には、ホット側リード線２２３を支持するリード線支持手段５Ａが一体に形成されている。
【００３２】
すなわち、このリード線支持手段５Ａは、光反射シート２３の折曲部２３１を起立片５１として含み、この起立片５１と、起立片５１の上端からユニットケース３の内壁面に向かって階段状に折り曲げられた脚片５２とを備えている。
【００３３】
脚片５２には、ホット側リード配線２２３を支持する支持台（支持部）５２ａが脚片５２の一部を段差状に折り曲げることにより形成されている。支持台５２ａの高さ位置は、ホット側リード配線２２３から放射される電磁波がシールド板４２から液晶パネル１側に漏れないような位置とされるが、シールド板４２に対してホット側リード配線２２３ができるだけ近づく位置であることが好ましい。
【００３４】
ホット側リード配線２２３の支持を確実とするため、脚片５２の下端５２ｂをユニットケース３の底板３２に当接させることが好ましい。また、場合によっては、ホット側リード配線２２３を接着材にて支持台５２ａに固定してもよい。また、組立作業性をよくするため、図２に示すように、折り曲げ部分にあらかじめミシン目５３を設けておくことが好ましい。
【００３５】
次に、図３により本発明の第２実施形態について説明する。この第２実施形態において、リード線支持手段５Ｂは、光反射シート２３と切り離されて構成されている。これは既存のバックライトユニット２に後付的に適用できるようにするためである。
【００３６】
このリード線支持手段５Ｂは、紙もしくは合成樹脂を基材とする折り曲げ可能な支持板からなり、光反射シート２３の折曲部２３１と分離して形成された起立片５１と、起立片５１の上端からユニットケース３の内壁面に向かって階段状に折り曲げられた脚片５２とを備え、脚片５２には上記第１実施形態と同様の支持台５２ａが折り曲げによって形成されている。
【００３７】
このリード線支持手段５Ｂは、起立片５１を導光板２の反光入射面２１ｃと光反射シート２３の折曲部２３１との間に差し込むことにより、光反射シート２３側に保持させることができるが、この場合、起立片５１の少なくとも上記反光入射面２１ｃと対向する面を光反射面とすることにより、その面が光反射シート２３の折曲部２３１による光反射面の代替となるため、液晶パネル１に対する光の照射効率が損なわれることはない。
【００３８】
次に、図４により本発明の第３実施形態について説明する。この第３実施形態でのリード線支持手段５Ｃは、紙もしくは合成樹脂を基材とする折り曲げ可能な支持板をコ字状に折り曲げることにより形成される。
【００３９】
すなわち、このリード線支持手段５Ｃは、同一長さでほぼ平行に配置される一対の脚片５２，５２と、それらの上端間に架け渡された支持台５２ａとを有し、光反射シート２３の折曲部２３１とユニットケース３の内壁面との間に配置される。
【００４０】
このリード線支持手段５Ｃも、上記第２実施形態におけるリード線支持手段５Ｂと同じく、既存のバックライトユニット２に後付的に適用できるが、振動や衝撃などによって容易に動かないようにするため、接着材５４にて例えば光反射シート２３の折曲部２３１に固定することが好ましい。なお、接着材５４にてユニットケース３の内壁面側に固定してもよい。
【００４１】
このように、本発明によれば、ホット側リード線２２３を上記リード線支持手段５（５Ａ〜５Ｃ）によってシールド板４２の近傍で支持し、ホット側リード線２２３がユニットケース３の底板３２側に脱落しないようにしている。したがって、ホット側リード線２２３から放射される電磁波がシールド板４２から液晶パネル１側に漏出することがなく、フリッカ現象のない安定した液晶表示を実現することができる。
【００４２】
また、リード線支持手段５は、光反射フィルムシートもしくは紙や合成樹脂を基材とする折り曲げ可能な支持板に折れ線としてミシン目５３を形成し、このミシン目５３に沿って折り曲げることにより簡単に形成することができるため作業性の面でも有利である。
【００４３】
以上は図示例に基づき本発明によるリード線支持手段５の各構成例を説明したが、リード線支持手段５の形状および構成は上記実施形態に限られるものでなく、ホット側リード線２２３をシールド板４２の近傍で支持し得るものであれば適宜の形状を選択することができる。
【００４４】
例えば、図５に示すように、光反射シート２３の折曲部２３１の上端を延長して、その延長部分をＶ字状に折り曲げてホット側リード線２２３の支持部５５とすることもできる。なお、このＶ字状の支持部５５を光反射シート２３の折曲部２３１から切り離して形成することもできる。その場合には、Ｖ字状の支持部５５の少なくとも一端側に図３で説明した上記第２実施形態のように起立片５１を連設して、その起立片５１を光反射シート２３の折曲部２３１側に保持させればよい。
【００４５】
また、別の例として図６に示すように、光反射シート２３の折曲部２３１の上端に連設されている脚片５２を、その下端５２ｂがユニットケース３の底板３２の隅へと向かうように折り曲げ、その傾斜面でホット側リード線２２３を支持することもできる。この例においても、脚片５２を単なる板材として、またはその板材に起立片５１を連設して、光反射シート２３の折曲部２３１とユニットケース３の内壁面との間に斜めに配置してもよく、このような態様も本発明に含まれる。
【図面の簡単な説明】
【００４６】
【図１】本発明の第１実施形態に係るリード線支持部を模式的に示す断面図。
【図２】上記第１実施形態のリード線支持部を示す斜視図。
【図３】本発明の第２実施形態に係るリード線支持部を模式的に示す断面図。
【図４】本発明の第３実施形態に係るリード線支持部を模式的に示す断面図。
【図５】本発明の変形例に係るリード線支持部を模式的に示す断面図。
【図６】本発明の別の変形例に係るリード線支持部を模式的に示す断面図。
【図７】従来の液晶表示装置の構成例を模式的に示す斜視図。
【図８】上記従来の液晶表示装置に含まれているバックライトユニットの構成例を模式的に示す平面図。
【図９】上記従来の液晶表示装置におけるホット側リード線の配線状態を模式的に示す説明図。
【符号の説明】
【００４７】
１  液晶パネル
２  バックライトユニット
２１  導光板
２１ａ，２１ｂ  光入射面
２１ｃ，２１ｄ  反光入射面
２２  冷陰極管
２２１，２２２  電極端子
２２３  ホット側リード線
２２４  コールド側リード線
２３  光反射シート
２３１，２３２  折曲片
２４  光学フィルム群
３  ユニットケース
３１  収納凹部
３２  底板
４  シールドカバー
４１  開口
４２  シールド板
５  リード線支持手段
５１  起立片
５２  脚片
５２ａ  支持台
５３  ミシン目
【図１】
2006126572.tif 000003
【図２】
2006126572.tif 000004
【図３】
2006126572.tif 000005
【図４】
2006126572.tif 000006
【図５】
2006126572.tif 000007
【図６】
2006126572.tif 000008
【図７】
2006126572.tif 000009
【図８】
2006126572.tif 000010
【図９】
2006126572.tif 000011